(57)【要約】      （修正有）【課題】水路シーリングプラグの改良構造において取り付けと取り外しを便宜にすること。【解決手段】ベース本体１０と、上部本体を有し、前記ベース本体にテーパー面１１が設けられ、前記テーパー面にゴムリング１４を設けて、螺子２３により上部本体と前記ベース本体をお互いに締め付けて設け、前記上部本体は当接リング２４を有し、前記当接リングは射出金型の水路周縁の壁に当接する。【選択図】図６
0003108169.tif 000002
【実用新案登録請求の範囲】
【請求項１】
ベース本体と上部本体からなる水路シーリングプラグの改良構造であって、
前記ベース本体はテーパー面を備え、
前記テーパー面上に位置決めピンを有し、
前記位置決めピンには螺子穴を設け、
前記位置決めピンの外縁にゴムリングを設け、
前記上部本体には位置決め穴を有し、前記位置決め穴はベース本体の位置決めピンと対応し、位置決め穴内にスルーホールを設け、かつ、前記スルーホール内に螺子を設け、
ベース本体の螺子穴内で螺子止めし、
前記上部本体の上部に当接リングを有し、
前記当接リングが射出金型の水路口周縁の側壁に当接することを特徴とする、
水路シーリングプラグの改良構造。
【考案の詳細な説明】
【技術分野】
【０００１】
本考案は水路シーリングプラグの改良構造に関し、具体的には、当接リングが射出金型の水路周縁の壁を当接することにより、ユーザーの取り付けと取り外しの目的を達成できる水路シーリングプラグに関する。
【背景技術】
【０００２】
一般的に水路シーリングプラグは、ベース本体と、中間リングと、上部本体からなり、そのうち、前記ベース本体と中間リングの間にゴムリングを設け、前記中間リングと上部本体の間に固定リングを設け、前記ゴムリングと固定リングにより、水路の栓止め効果を達成する。
ここで、従来の水路シーリングプラグの構造と問題点について、図面を用いて説明する。
【０００３】
図１、図２に示すように、従来の水路シーリングプラグは、主に、ベース本体（４０）上に位置決めピン（４１）を設け、前記位置決めピン（４１）上に螺子穴（４２）を設け、さらに、前記位置決めピン（４１）の外縁にゴムリング（４３）をはめ、また、前記位置決めピン（４１）上のゴムリング（４３）に対応したテーパー面（５１）を形成した前記中間リング（５０）を前記位置決めピン（４１）上にはめ、さらに、中間リング（５０）内縁には内テーパー面（５２）を有し、そして、前記上部本体（６０）はテーパー面（６１）を備え、前記テーパー面（６１）上に固定リング（６２）を設け、さらに、前記上部本体（６０）のテーパー面（６１）は中間リング（５０）のテーパー面（５２）と対応して、螺子（６３）で前記ベース本体（４０）、中間リング（５０）、上部本体（６０）をお互い締め合う。従来の水路シーリングプラグ構造における問題点を次に述べる、
【０００４】
図３、図４に示すように、従来の水路シーリングプラグは射出金型（７０）の水路（７１）内、前記上部本体（６０）の螺子（６３）を締設することにより、前記ベース本体（４０）と、中間リング（５０）と、上部本体（６０）がお互いに寄り合うとともに、前記中間リング（５０）のテーパー面（５１）と上部本体（６０）のテーパー面（６１）を利用して、前記ゴムリング（４３）と固定リング（６２）を圧迫して外側に拡張させて、前記ゴムリング（４３）と固定リング（６２）が射出金型（７０）の水路（７１）の内縁をパッキン固定することにより、射出金型（７０）の水路（７１）を密封する効果を達成する。
従来の水路シーリングプラグは、射出金型（７０）の水路（７１）内に設置するので、使用するときには、まず、前記上部本体（６０）の螺子（６３）をやや締め、前記ゴムリング（４３）と固定リング（６２）が適度に外側に拡張して外径を少し増し、射出金型（７０）の水路（７１）に押し込んだときに、前記水路（７１）の内縁にやや接触して、次の締設工程時に滑って空回りするのを防ぐ摩擦力を提供したのち、正式に前記上部本体（６０）の螺子（６３）を締めて、前記ゴムリング（４３）と固定リング（６２）を外側に拡張させ射出金型（７０）の水路（７１）の内縁にパッキン固定する、反対に、もし、使用時に、あらかじめ前記ゴムリング（４３）及び固定リング（６２）が射出金型（７０）の水路（７１）の内縁とやや接触するように調整していないと、前記上部本体（６０）の螺子（６３）を締めるときに、水路シーリングプラグごと水路（７１）内で回転して、前記ゴムリング（４３）と固定リング（６２）が射出金型（７０）の水路（７１）内縁をパッキン固定できない欠陥が発生する。
また、取り外し作業の時に、螺子（６３）を緩めようとするときに、緩める過程で摩擦力不足により水路シーリングプラグごと水路（７１）内で回転してしまい、ゴムリング（４３）と固定リング（６２）が完全に縮複できず、少し外側に拡張していて軽く水路（７１）内壁に接触して、水路（７１）中に引っかかってしまった水路シーリングプラグを取り出すのにはかなりの労力を費やすことになる。
【０００５】
また、従来の水路シーリングプラグは、ベース本体（４０）と、中間リング（５０）と、上部本体（６０）からなるので、部材数が多く、製造組み立てで不良が起きやすく、製造コストが高い問題が発生する。
【考案の開示】
【考案が解決しようとする課題】
【０００６】
本考案は従来の水路シーリングプラグの欠陥を改善するために成されたもので、本考案の第１の目的は、前記当接リングが射出金型の水路周縁の側壁を当接することを利用して、ユーザーが前記螺子を締設するのと取り外すことができ、ユーザーの取り付けと取り外しの目的を便宜に達成できる。
【０００７】
本考案の第２の目的は、前記ベース本体と上部本体の２部材で、水路の栓止め効果を備えるので、部材数が少なく容易に製造でき、さらに、取り付け不良率を低減でき、製造コスト低減の目的を達成する。
【課題を解決するための手段】
【０００８】
本考案に係る水路シーリングプラグの改良構造は、ベース本体と上部本体からなる水路シーリングプラグの改良構造であって、前記ベース本体はテーパー面を備え、前記テーパー面上に位置決めピンを有し、前記位置決めピンには螺子穴を設け、前記位置決めピンの外縁にゴムリングを設け、前記上部本体には位置決め穴を有し、前記位置決め穴はベース本体の位置決めピンと対応し、位置決め穴内にスルーホールを設け、かつ、前記スルーホール内に螺子を設け、ベース本体の螺子穴内で螺子止めし、前記上部本体の上部に当接リングを有し、前記当接リングが射出金型の水路口周縁の側壁に当接することを特徴とするものである。
【考案の効果】
【０００９】
本考案は、ベース本体にテーパー面を有し、前記テーパー面にゴムリングをはめ、さらに、螺子により上部本体と前記ベース本体をお互いに締設し、また、前記上部本体には当接リングを有し、前記当接リングは射出金型の水路周縁の壁に当接する水路シーリングプラグ。前記当接リングが射出金型の水路周縁の側壁を当接することにより、ユーザーが前記螺子を締設するのと取り外すことができ、前記ベース本体のテーパー面がゴムリングを押し込み射出金型の水路内縁をパッキンにより遮断することにより、ユーザーの取り付けと取り外しを便宜に行うことができる。
また本考案は、ベース本体と上部本体の２部材を組み合わせることにより、水路の栓止め効果があるとともに、部材数が少なく容易に製造できる。
さらに、取り付け不良率を低減できて、製造コストの低減を図ることもできる。
【考案を実施するための最良の形態】
【００１０】
上記目的を達成するため、本考案で用いた技術、手段及びその効果は、好ましい実施形態の例を、添付図面を参照しつつ説明することにより、本考案の目的、特徴及び利点が明らかになるだろう。
【００１１】
図５、図６に示したように、本考案は主に、ベース本体（１０）と上部本体（２０）を組み合わせてなるものであって、
前記ベース本体（１０）にテーパー面（１１）を形成し、前記テーパー面（１１）上に位置決めピン（１２）を有し、前記位置決めピン（１２）上には螺子穴（１３）が設けられており、さらに、前記位置決めピン（１２）の外縁にゴムリング（１４）がはめられている。
【００１２】
前記上部本体（２０）には位置決め穴（２１）を有し、前記位置決め穴（２１）はちょうどベース本体（１０）の位置決めピン（１２）と対応して、さらに、位置決め穴（２１）内にはスルーホール（２２）が設けられ、前記スルーホール（２２）内に螺子（２３）が設けられ、前記螺子（２３）はベース本体（１０）の螺子穴（１３）内に螺子止めし、また、前記上部本体（２０）の上部に当接リング（２４）を有し、前記当接リング（２４）が射出金型（３０）の水路口（３１）周縁の側壁（３２）に当接する。以上のものが、すなわち、本考案の実施形態の例の主な部材の位置関係及び構造である。
【００１３】
本考案の他の作動方式及び効果を詳細に説明するため、他の好ましい実施形態の例を、添付図面を参照しつつ説明する
【００１４】
図７、図８に示したように、本考案を実施操作する際、それを射出金型（３０）の水路（３１）内に置き、前記上部本体（２０）の当接リング（２４）を射出金型（３０）の水路口（３１）周縁の側壁（３２）上に当接させ、ユーザーが上部本体（２０）の螺子（２３）に力を加えて締設して、前記ベース本体（２０）が上部本体（２０）方向に移動する。
そして前記ベース本体（１０）の位置決めピン（１２）が上部本体（２０）の位置決め穴（２１）内に収容されて位置決めする。このとき前記ベース本体（１０）のテーパー面（１１）がベース本体（１０）の位置決めピン（１２）上のゴムリング（１４）を押し外側に拡張させて、前記ゴムリング（１４）が射出金型（３０）の水路（３２）の内壁をパッキンすて、射出金型（３０）の水路（３２）を密封する効果を達成する。
反対に、本考案を取り外す際には、前記上部本体（２０）の当接リング（２４）が射出金型（３０）の水路口（３１）周縁の側壁（３２）に当接することにより、ユーザーは前記上部本体（２０）の螺子（２３）に力を加えて緩めることができる。
さらに、前記上部本体（２０）の当接リング（２４）を取り出すことにより、本考案を射出金型（３０）の水路口（３１）内から取り出せる。
したがって、本考案は前記上部本体（２０）の当接リング（２４）が射出金型（３０）の水路口（３１）周縁の側壁（３２）に当接することにより、ユーザーが上部本体（２０）の螺子（２３）に力を加えて締設したり取り外したりでき、ユーザーの取り付けと取り外しの目的を便宜に達成できる。
【００１５】
また、前記ベース本体（１０）と上部本体（２０）の２部材を組み合わせてなり、従来のベース本体（４０）と、中間リング（５０）と、上部本体（６０）をお互いに組み合わせてなる３部材より少ないため、部材数が少なく容易に製造でき、さらに、取り付け不良率を低減でき、製造コスト低減の目的を達成する。
【図面の簡単な説明】
【００１６】
【図１】従来の構成図である。
【図２】従来の断面図である。
【図３】従来の実施形態の例を示す図である。
【図４】従来の実施形態の例の一部拡大断面図である。
【図５】本考案の構成図である。
【図６】本考案の断面図である。
【図７】本考案の実施形態の例を示す図である。
【図８】本考案の実施形態の例の一部拡大断面図である。
【符号の説明】
【００１７】
１０  ベース本体
１１  テーパー面
１２  位置決めピン
１３  螺子穴
１４  ゴムリング
２０  上部本体
２１  位置決め穴
２２  スルーホール
２３  螺子
２４  当接リング
３０  射出金型
３１  水路口
３２  側壁
４０  ベース本体
４１  位置決めピン
４２  螺子穴
４３  ゴムリング
５０  中間リング
５１  テーパー面
５２  テーパー面
６０  上部本体
６１  テーパー面
６２  固定リング
６３  螺子
７０  射出金型
７１  水路
【図１】
0003108169.tif 000003
【図２】
0003108169.tif 000004
【図３】
0003108169.tif 000005
【図４】
0003108169.tif 000006
【図５】
0003108169.tif 000007
【図６】
0003108169.tif 000008
【図７】
0003108169.tif 000009
【図８】
0003108169.tif 000010